(57)【要約】【目的】  省スペースで、コストを抑え、かつ、簡単な作業で化粧パネルを取り付けることができる、新しい対面型キッチンキャビネットを提供する。【構成】  キャビネット本体(1)の背面側に化粧パネル(2)を設けてなる対面型キッチンキャビネットであって、キャビネット本体(1)の背面側上端部(11)と化粧パネル(2)の上端部(21)を逆角樋形のバックガードカバー(3)にて挟着支持してなることを特徴とする。【選択図】図１
2005124972.tif 000002
【特許請求の範囲】
【請求項１】
キャビネット本体の背面側に化粧パネルを設けてなる対面型キッチンキャビネットであって、キャビネット本体の背面側上端部と化粧パネルの上端部を逆角樋形のバックガードカバーにて挟着支持してなることを特徴とする対面型キッチンキャビネット。
【請求項２】
キャビネット本体の背面側下端部に角樋形の支持材を設け、化粧パネルの下端部を該支持材に嵌合させて支持してなる請求項１記載の対面型キッチンキャビネット。
【請求項３】
バックガードカバーの上面部に、機能部材を取り付けるための取り付け凹所を設けてなる請求項１または２記載の対面型キッチンキャビネット。
【発明の詳細な説明】
【技術分野】
【０００１】
この出願の発明は、対面型キッチンキャビネットに関するものである。さらに詳しくは、この出願の発明は、省スペースで、コストを抑え、かつ、簡単な作業で化粧パネルを取り付けることができる、新しい対面型キッチンキャビネットに関するものである。
【背景技術】
【０００２】
従来、キャビネット本体の背面側、すなわちダイニング側に化粧パネルを設けてなる対面型キッチンキャビネットにおいては、キャビネット本体(ア)の背面側に腰壁(イ)を介して化粧パネル(ウ)を取り付けていた（たとえば、図４、特許文献１参照）。
【特許文献１】特開平０８−２３８１３５号公報
【発明の開示】
【発明が解決しようとする課題】
【０００３】
しかしながら、図４や特許文献１に例示したような対面型キッチンキャビネットの場合には、キャビネット本体(ア)の背面側に化粧パネル(ウ)を設けるに際して、キャビネット本体(ア)の背面側に腰壁(イ)を介して化粧パネル(ウ)を取り付けていたため、この腰壁(イ)を設置するための広いスペースを必要とし、またコストがかかり、かつ、作業に手間がかかるという問題があった。
【０００４】
そこでこの出願の発明は、以上のとおりの事情に鑑みてなされたものであって、従来の問題点を解消し、省スペースで、コストを抑え、かつ、簡単な作業で化粧パネルを取り付けることができる、新しい対面型キッチンキャビネットを提供することを課題としている。
【課題を解決するための手段】
【０００５】
この出願の発明は、上記の課題を解決するために、第１には、キャビネット本体の背面側に化粧パネルを設けてなる対面型キッチンキャビネットであって、キャビネット本体の背面側上端部と化粧パネルの上端部を逆角樋形のバックガードカバーにて挟着支持してなることを特徴とする対面型キッチンキャビネットを提供する。
【０００６】
また、この出願の発明は、第２には、キャビネット本体の背面側下端部に角樋形の支持材を設け、化粧パネルの下端部を該支持材に嵌合させて支持してなる対面型キッチンキャビネットを提供し、そして、第３には、バックガードカバーの上面部に、機能部材を取り付けるための取り付け凹所を設けてなる対面型キッチンキャビネットを提供する。
【発明の効果】
【０００７】
この出願の第１の発明の対面型キッチンキャビネットによれば、腰壁を設ける必要がないため、省スペースで、コストを抑え、かつ、簡単な作業で化粧パネルをキャビネット本体の背面側に取り付けることができる。
【０００８】
第２の発明によれば、上記第１の発明と同様の効果が得られ、また、キャビネット本体の背面側に取り付けられる化粧パネルをより安定に支持することができる。
【０００９】
さらに、第３の発明によれば、上記第１および第２の発明と同様の効果が得られ、さらにまた、キャビネット本体や機能部材等に穴を開ける等の加工を施すことなく容易にカウンター部材やスクリーン部材等の各種機能部材を取り付けることが可能である。
【発明を実施するための最良の形態】
【００１０】
この出願の発明は上記のとおりの特徴をもつものであるが、以下、その実施の形態について詳しく説明する。
【００１１】
図１は、この出願の発明の一実施形態を例示した分解斜視図である。この図１に沿って説明すると、この出願の発明の対面型キッチンキャビネットは、キャビネット本体(1)の背面側（ダイニング側）に化粧パネル(2)を安定に支持設置して設けてなる対面型キッチンキャビネットである。具体的には、キャビネット本体(1)に形成されている背面側上端部(11)を化粧パネル(2)の上端部(21)とともに、矢印に例示したように、逆角樋形のバックガードカバー(3)に形成されている開口部(3)に嵌合させ、挟着支持させることにより、化粧パネル(2)をキャビネット本体(1)の背面側に安定に支持させてなる対面型キッチンキャビネットに関するものである。これにより、従来のように腰壁を設ける必要がないため、省スペース化することができ、コストを抑え、さらにキャビネット本体(1)の背面側に化粧パネル(2)を支持設置する際にもバックガードカバー(3)にて挟着支持させるだけで、正確に位置決めして簡単な作業で化粧パネル(2)を取り付けることができる。
【００１２】
また、この出願の発明の対面型キッチンキャビネットは、図１の例示のとおり、キャビネット本体(1)の背面側下端部に角樋形の支持材(4)を設置した場合には、この支持材(4)に形成されている開口部(41)に化粧パネル(2)の下端部(22)を矢印に示したように嵌合させることにより、化粧パネル(2)は、さらに安定に支持されることととなる。これにより、化粧パネル(2)の下端部(22)を支持材(4)にて正確に位置決めして、安定に支持することができる。
【００１３】
図２は、この出願の発明の別の実施形態を例示した要部分解斜視図である。また、図３は、図２の実施形態を模式的に例示した全体斜視図である。なお、図２および図３において、図１と同様の部分には同一の符号を付して説明を省略する。
【００１４】
図２および図３に例示したとおり、バックガードカバー(3)の上面部には、機能部材を取り付けるための取り付け凹所(32)が長手方向に亘って少なくとも１つ以上が配設されている。この図２および図３の例では、機能部材としてカウンター部材(5)を例示しているが、このカウンター部材(5)に備えられている支持柱(51)の先端には、挿入片(52)がさらに設けられている。矢印に示したとおり、この挿入片(52)をバックガードカバー(3)の取り付け凹所(32)に挿入することにより、カウンター部材(5)を容易に取り付けることができ、カウンター部材(5)の上面を多目的の作業台として利用することができるようになる。このようにキャビネット本体(1)やカウンター部材(5)等の機能部材に穴を開ける等の加工を施すことなく、カウンター部材(5)をはじめとする各種の機能部材を簡単にキャビネット本体(1)に取り付けることができ、これに伴い種々の機能を追加することができることとなる。
【００１５】
なお、機能部材とは、たとえば、上記カウンター部材(5)のほかにも、油よけ等の機能を有するスクリーン部材(図示せず)等を挙げることができ、その種類は特に限定されるものではない。もちろん、機能部材の取り付けの際は、複数の種類の機能部材を組み合わせてもよい。これに伴って、図には示していないが、機能部材の形状、構造等に合わせて、取り付け凹所(32)は、孔や長手方向に亘る凹溝等として形成されてもよい。たとえば、バックガードカバー(3)の上面部に長手方向全長に亘って凹溝を形成し、該凹溝にスクリーン部材等の下端部を嵌合させて取り付けるようにしてもよい
この出願の発明における対面型キッチンキャビネットは、以上の例示に限られることはない。キャビネット本体、化粧パネル、支持材等の大きさや形状、構造、材質等、細部ついては、様々に可能であることは言うまでもない。
【産業上の利用可能性】
【００１６】
以上詳しく説明したとおり、この出願の発明によって、省スペースで、コストを抑え、かつ、簡単な作業で化粧パネルを取り付けることができる対面型キッチンキャビネットが提供される。
【図面の簡単な説明】
【００１７】
【図１】この出願の発明の一実施形態を例示した分解斜視図である。
【図２】この出願の発明の別の実施形態を例示した要部分解斜視図である。
【図３】図２の実施形態を模式的に例示した全体斜視図である。
【図４】従来の対面型キッチンキャビネットを例示した側面図である。
【符号の説明】
【００１８】
1  キャビネット本体
11  背面側上端部
2  化粧パネル
21  上端部
22  下端部
3  バックガードカバー
31  開口部
32  取り付け凹所
4  支持材
41  開口部
5  カウンター部材
51  支持柱
52  挿入片
ア  対面型キッチンキャビネット
イ  腰壁
ウ  化粧板
【図１】
2005124972.tif 000003
【図２】
2005124972.tif 000004
【図３】
2005124972.tif 000005
【図４】
2005124972.tif 000006